(57)【要約】【課題】網入りガラスの切断端面において金属ワイヤ周辺の隙間から網入りガラスの内部にワイヤ防錆剤を確実に侵入させることができる網入りガラス用ワイヤ防錆剤塗布治具を提供する。【解決手段】網入りガラス用ワイヤ防錆剤塗布治具１０は、ワイヤ防錆剤３０を収容する押出容器１１と、押出容器１１の口部にネジ込まれたテーパ状注ぎ口１２と、先端に円筒状のゴム栓１３が内嵌され、基端が注ぎ口１２の先端に外嵌された管状コネクタ１４と、基端が注ぎ口１２の先端に外嵌され、先端がコネクタ１４を収容するアクリル製の管状ガイド部１５とを備える。ガイド突起部１５ａをガラス表面２０ｅに設置し、ガラス表面２０ｅに当接させた状態で、押出容器１１を回して貫通孔１３ａを切断端面２０ａにおける金属ワイヤ２０ｄに当接させた後、ゴム栓１３を切断端面２０ａに押し当て、ガイド突起１５ａとゴム栓１３とをスライドさせながら、ワイヤ防錆剤３０を押し出す。【選択図】      図１
2004305943.tif 000002
【特許請求の範囲】
【請求項１】
網入りガラスの切断端面にワイヤ防錆剤を塗布する網入りガラス用ワイヤ防錆剤塗布治具において、
前記ワイヤ防錆剤を収容する容器と、前記容器に設けられた管状の注ぎ口と、前記注ぎ口に固定され、前記切断端面に当接する栓と、前記注ぎ口に固定されると共に単一の貫通孔を有し、前記網入りガラスのガラス表面に当接するガイド部とを備えることを特徴とする網入りガラス用ワイヤ防錆剤塗布治具。
【請求項２】
前記ガイド部は、前記ガラス表面のうち前記切断端面近傍部分と接触しないように凹みが設けられていることを特徴とする請求項１記載の網入りガラス用ワイヤ防錆剤塗布治具。
【請求項３】
前記栓は、弾性部材から成ることを特徴とする請求項１又は２記載の網入りガラス用ワイヤ防錆剤塗布治具。
【請求項４】
前記単一の貫通孔は、長手中心軸からの偏心位置に有り、且つ前記栓は、前記注ぎ口に回転位置調節自在に固定されることを特徴とする請求項１乃至３のいずれか１項に記載の網入りガラス用ワイヤ防錆剤塗布治具。
【請求項５】
前記ガイド部は、前記注ぎ口に回転位置調節自在に外嵌されることを特徴とする請求項１乃至４のいずれか１項に記載の網入りガラス用ワイヤ防錆剤塗布治具。
【請求項６】
前記注ぎ口は屈曲していることを特徴とする請求項１乃至５のいずれか１項に記載の網入りガラス用ワイヤ防錆剤塗布治具。
【請求項７】
前記注ぎ口は比較的短いことを特徴とする請求項１乃至６のいずれか１項に記載の網入りガラス用ワイヤ防錆剤塗布治具。
【請求項８】
前記注ぎ口は伸縮自在な蛇腹状であることを特徴とする請求項１乃至７のいずれか１項に記載の網入りガラス用ワイヤ防錆剤塗布治具。
【請求項９】
前記注ぎ口の外形は、先端に向かってテーパ状に形成されることを特徴とする請求項１乃至８のいずれか１項に記載の網入りガラス用ワイヤ防錆剤塗布治具。
【請求項１０】
前記ガイド部の基端の内面にチャンファが形成されることを特徴とする請求項１乃至９のいずれか１項に記載の網入りガラス用ワイヤ防錆剤塗布治具。
【請求項１１】
前記栓は、管状のコネクタを介して前記注ぎ口と内嵌して固定するさらに有することを特徴とする請求項９又は１０記載の網入りガラス用ワイヤ防錆剤塗布治具。
【請求項１２】
前記コネクタの基端の内面にチャンファが形成されることを特徴とする請求項１１記載の網入りガラス用ワイヤ防錆剤塗布治具。
【発明の詳細な説明】
【０００１】
【発明の属する技術分野】
本発明は、網入りガラス用ワイヤ防錆剤塗布治具に関し、特に、網入りガラスの切断端面にワイヤ防錆剤を塗布する網入りガラス用ワイヤ防錆剤塗布治具に関する。
【０００２】
【従来の技術】
網入りガラスには、発錆し易い軟鉄等の金属ワイヤから成る金網が埋め込まれている。この埋め込まれた金属ワイヤは、網入りガラスの切断端面で露出しているため、水分や湿気が網入りガラスの切断端面における金属ワイヤ周辺の隙間から侵入し、金属ワイヤの表面全体に錆が発生する。この網入りガラスの発錆は、網入りガラスの外観を損なうだけではなく、網入りガラスの強度、耐久性の低下の原因となり、著しい場合にはガラスにクラックを生じさせるなど破損原因となることから、これを確実に防止することが望まれる。このため、従来においては、このような網入りガラスの切断端面に埋め込まれた金属ワイヤの発錆を防止するために、網入りガラスは、その切断端面にワイヤ防錆剤として低粘性のウレタン樹脂系塗料を刷毛により塗布して防錆塗膜を形成した後、製品として出荷、又は、使用場所に施工されている（例えば、特許文献１参照）。
【０００３】
【特許文献１】
特開平１２−２３３９４４号公報
【０００４】
【発明が解決しようとする課題】
しかしながら、網入りガラスの切断端面へのワイヤ防錆剤は、刷毛によって塗布されているので、網入りガラスの切断端面にのみ付着し、切断端面における金属ワイヤ周辺のわずかな隙間から網入りガラスの内部に浸入させることができず、十分な防錆効果が得られない。また、刷毛による塗布では、切断端面以外のガラス表面にもワイヤ防錆剤が塗布されるので、ガラスの表面が汚れたり、ワイヤ防錆剤が無駄になったりする。
【０００５】
本発明の目的は、網入りガラスの切断端面における金属ワイヤ周辺の隙間から網入りガラスの内部にワイヤ防錆剤を確実に侵入させることができる網入りガラス用ワイヤ防錆剤塗布治具を提供することにある。
【０００６】
【課題を解決するための手段】
上記目的を達成するために、請求項１記載の網入りガラス用ワイヤ防錆剤塗布治具は、網入りガラスの切断端面にワイヤ防錆剤を塗布する網入りガラス用ワイヤ防錆剤塗布治具において、前記ワイヤ防錆剤を収容する容器と、前記容器に設けられた管状の注ぎ口と、前記注ぎ口に固定されると共に単一の貫通孔を有し、前記切断端面に当接する栓と、前記注ぎ口に固定され、前記網入りガラスのガラス表面に当接するガイド部とを備えることを特徴とする。
【０００７】
請求項１記載の網入りガラス用ワイヤ防錆剤塗布治具によれば、ワイヤ防錆剤を収容する容器に設けられた管状の注ぎ口と、この注ぎ口に固定され、網入りガラスの切断端面に当接する栓と、この注ぎ口に固定され網入りガラスのガラス表面に当接するガイドを備えるガイド部を備えるので、切断端面における金属ワイヤ周辺の隙間から網入りガラスの内部にワイヤ防錆剤を確実に侵入させることができ、ワイヤ表面の発錆を長期に亘り確実に防止することができ、また、ガラスを水平方向に設置したときに、鉛直方向上側のガラス表面にガイドを当接することで、液だれによりガイドを伝って鉛直方向下側のガラス表面にワイヤ防錆剤が付着することを防止できる。
【０００８】
請求項２記載の網入りガラス用ワイヤ防錆剤塗布治具は、請求項１記載の網入りガラス用ワイヤ防錆剤塗布治具において、前記ガイド部は、前記ガラス表面のうち前記切断端面近傍部分と接触しないように凹みが設けられていることを特徴とする。
【０００９】
請求項２記載の網入りガラス用ワイヤ防錆剤塗布治具によれば、ガイド部は、ガイド部が当接するガラス表面と栓が当接する切断端面とで構成されるエッジ周辺部分と接触しないための凹みが設けられているので、ガラスの切断端面に塗布されたワイヤ防錆剤がガイド部を伝ってガラス表面に付着することを防止できる。
【００１０】
請求項３記載の網入りガラス用ワイヤ防錆剤塗布治具は、請求項１又は２記載の網入りガラス用ワイヤ防錆剤塗布治具において、前記栓は、弾性部材から成ることを特徴とする。
【００１１】
請求項３記載の網入りガラス用ワイヤ防錆剤塗布治具によれば、栓は、弾性部材から成るので、切断端面の表面を傷つけることなくワイヤ防錆剤を塗布することができる。
【００１２】
請求項４記載の網入りガラス用ワイヤ防錆剤塗布治具は、請求項１乃至３のいずれか１項に記載の網入りガラス用ワイヤ防錆剤塗布治具において、前記単一の貫通孔は、長手中心軸からの偏心位置に有り、且つ前記栓は、前記注ぎ口に回転位置調節自在に固定されることを特徴とする。
【００１３】
請求項４記載の網入りガラス用ワイヤ防錆剤塗布治具によれば、栓が有する単一の貫通孔は、長手中心軸からの偏心位置に有り、且つ栓は注ぎ口に回転位置調節自在に固定されるので、注ぎ口に対する栓の回転位置を調節することができ、網入りガラスのワイヤの設計平面と貫通孔の位置を確実に合わせることができる。
【００１４】
請求項５記載の網入りガラス用ワイヤ防錆剤塗布治具は、請求項１乃至４のいずれか１項に記載の網入りガラス用ワイヤ防錆剤塗布治具において、前記ガイド部は、前記注ぎ口に回転位置調節自在に外嵌されることを特徴とする。
【００１５】
請求項５記載の網入りガラス用ワイヤ防錆剤塗布治具によれば、ガイド部は、注ぎ口に回転位置調節自在に外嵌されるので、注ぎ口に対するガイド部の回転位置を調節することができ、貫通孔の位置に網入りガラスのワイヤの設計平面を確実に合わせることができる。
【００１６】
請求項５記載の網入りガラス用ワイヤ防錆剤塗布治具は、請求項１乃至４のいずれか１項に記載の網入りガラス用ワイヤ防錆剤塗布治具において、前記注ぎ口は屈曲していることを特徴とする。
【００１７】
請求項５記載の網入りガラス用ワイヤ防錆剤塗布治具によれば、注ぎ口は屈曲しているので、角度をつけてワイヤ防錆剤を供給することができ、ワイヤ防錆剤の液量が少ない場合であっても切断端面における金属ワイヤ周辺の隙間から網入りガラスの内部にワイヤ防錆剤を確実に侵入させることができる。
【００１８】
請求項６記載の網入りガラス用ワイヤ防錆剤塗布治具は、請求項１乃至５のいずれか１項に記載の網入りガラス用ワイヤ防錆剤塗布治具において、前記注ぎ口は比較的短いことを特徴とする。
【００１９】
請求項６記載の網入りガラス用ワイヤ防錆剤塗布治具によれば、注ぎ口は比較的短いので、位置調整を確実にできる結果、切断端面における金属ワイヤ周辺の隙間から網入りガラスの内部にワイヤ防錆剤を確実に侵入させることができる。
【００２０】
請求項７記載の網入りガラス用ワイヤ防錆剤塗布治具は、請求項１乃至６のいずれか１項に記載の網入りガラス用ワイヤ防錆剤塗布治具において、前記注ぎ口は伸縮することを特徴とする。
【００２１】
請求項７記載の網入りガラス用ワイヤ防錆剤塗布治具によれば、注ぎ口は伸縮するので、作業スペースを小さくすることができる。
【００２２】
請求項８記載の網入りガラス用ワイヤ防錆剤塗布治具は、請求項１乃至７のいずれか１項に記載の網入りガラス用ワイヤ防錆剤塗布治具において、前記注ぎ口の外形は、先端に向かってテーパ状に形成され、前記ガイド部の内形は、先端に向かってテーパ状に形成されることを特徴とする。
【００２３】
請求項８記載の網入りガラス用ワイヤ防錆剤塗布治具によれば、注ぎ口の外形は、先端に向かってテーパ状に形成され、ガイド部の内形は、先端に向かってテーパ状に形成されるので、確実にガイド部を注ぎ口に装着することができる。
【００２４】
請求項９記載の網入りガラス用ワイヤ防錆剤塗布治具は、請求項８記載の網入りガラス用ワイヤ防錆剤塗布治具において、網入りガラス用ワイヤ防錆剤塗布治具は、前記注ぎ口と前記栓を内嵌して固定する管状のコネクタをさらに有することを特徴とする。
【００２５】
請求項９記載の網入りガラス用ワイヤ防錆剤塗布治具によれば、網入りガラス用ワイヤ防錆剤塗布治具は、注ぎ口と栓を内嵌して固定する管状のコネクタをさらに有するので、注ぎ口に対する栓の回転位置を確実に調節することができる。
【００２６】
請求項１０記載の網入りガラス用ワイヤ防錆剤塗布治具は、請求項９記載の網入りガラス用ワイヤ防錆剤塗布治具において、前記コネクタの内形は、前記注ぎ口に向かってテーパ状に形成されることを特徴とする。
【００２７】
請求項１０記載の網入りガラス用ワイヤ防錆剤塗布治具によれば、コネクタの内形は、注ぎ口に向かってテーパ状に形成されるので、確実にコネクタを注ぎ口に装着することができる。
【００２８】
請求項１１記載の網入りガラス用ワイヤ防錆剤塗布治具は、請求項９又は１０記載の網入りガラス用ワイヤ防錆剤塗布治具において、前記コネクタの内形は、前記栓に向かってテーパ状に形成されることを特徴とする。
【００２９】
請求項１１記載の網入りガラス用ワイヤ防錆剤塗布治具によれば、コネクタの内形は、栓に向かってテーパ状に形成されるので、確実に栓をコネクタに装着することができる。
【００３０】
【発明の実施の形態】
以下、本発明の実施の形態に係る網入りガラス用ワイヤ防錆剤塗布治具を図面を用いて詳説する。
【００３１】
図１は、本発明の実施の形態に係る網入りガラス用ワイヤ防錆剤塗布治具の部分断面図である。
【００３２】
図１において、網入りガラス用ワイヤ防錆剤塗布治具１０は、ワイヤ防錆剤３０を収容する白色半透明軟質プラスチック製の押出容器１１と、押出容器１１の口部にネジ込まれた有色硬質プラスチック製のテーパ状注ぎ口１２と、先端に円筒状のゴム栓１３が内嵌され、基端が注ぎ口１２の先端に外嵌されたアルミニウム製の管状コネクタ１４と、基端が注ぎ口１２の先端に外嵌され、先端がコネクタ１４を収容するアクリル製の管状ガイド部１５とを備える。
【００３３】
ガイド部１５は、ゴム栓１３の対向位置まで延びるガイド突起１５ａを有し、ゴム栓１３は、硬度６０ＨＢＲのゴム製であり、長手中心軸より若干偏心した位置に貫通孔１３ａを有し、網入りガラス２０の切断端面２０ａに当接する（図３）。
【００３４】
コネクタ１４及びガイド部１５は、夫々、注ぎ口１２の先端に外嵌されているだけであって、接着されていないので、コネクタ１４及びガイド部１５の注ぎ口１２に対する固定は、回転位置調節自在である。また、ワイヤ防錆剤塗布治具１０の他の構成要素も接着されていないので、ワイヤ防錆剤塗布治具１０の組立て及び分解、並びに清掃を容易に行うことができる。
【００３５】
ゴム栓１３の注ぎ口１２に対する回転位置、又はガイド部１５の注ぎ口１２に対する回転位置を変更することにより、ガイド突起１５ａに対する貫通孔１３ａの距離を調節することができる。
【００３６】
また、コネクタ１４及びガイド部１５の各基端の内面にチャンファを形成してもよく、これにより、これらを注ぎ口１２の先端にしっかりと固定することができる。さらに、コネクタ１４の先端の内面にもチャンファを形成してもよく、これにより、ゴム栓１３をコネクタ１４の先端にしっかりと固定することができる。
【００３７】
また、貫通孔１３ａの直径は、金属ワイヤ２０ｄの設計平面２０ｅ（図２）からのずれ、ユーザの押出容器１１を握る力、及びワイヤ防錆剤塗布治具１０で塗布するスピードに応じて決定される。また、ガイド突起１５ａは、その先端部内面１５ｂが網入りガラス２０のガラス表面２０ｂに当接するように構成され（図３）、その基端部には、ガラス表面２０ｂのうち、ガラス表面２０ａとガラス表面２０ｂとが構成するエッジ周辺部分に接触しないように凹み１５ｃが形成されている。
【００３８】
上記金属ワイヤ２０ｄの設計平面２０ｅとは、ガラス表面２０ｂ，２０ｃと平行で、且つ網入りガラス２０内部の平面であって、網入りガラス２０内部の金属ワイヤ２０ｄの設計上の位置を示すものである。本実施の形態では、設計平面２０ｅは、ややガラス表面２０ｂ側に位置するが、これに限定されるものでない。従って、ガイド突起１５ａに対する貫通孔１３ａの距離は、設計表面２０ｅの位置に応じて調節される。
【００３９】
次に、図１のワイヤ防錆剤塗布治具１０を用いて網入りガラス２０の切断端面にワイヤ防錆剤３０を塗布する方法を説明する。
【００４０】
図４は、図１のワイヤ防錆剤塗布治具１０によって実行される網入りガラス２０の切断端面２０ａへのワイヤ防錆剤塗布処理のフローチャートである。
【００４１】
図２に示すように、網入りガラス２０は厚さが約６ｍｍであり、１メッシュが約１９ｍｍの金属ワイヤ２０ｄから成る金網が埋め込まれている。また、本処理では、網入りガラス２０は、そのガラス表面２０ｂを上にして水平に保持されているものとする。
【００４２】
図４において、まず、ガイド突起１５ａの先端部内面１５ｂをガラス表面２０ｂに当接させる（ステップＳ１０）。このとき、ガイド突起１５ａをガラス表面２０ｂの反対側のガラス表面２０ｃに当接しない。ワイヤ防錆剤３０がガイド１５ａを伝ってガラス表面２０ｃに付着するからである。
【００４３】
次に、ガイド突起１５ａの先端部内面１５ｂをガラス表面２０ｅに当接させた状態で、押出容器１１を回してガイド部１５の注ぎ口１２に対する回転位置を変更することによりガイド突起１５ａに対する貫通孔１３ａの距離を調節し、貫通孔１３ａを切断端面２０ａにおける金属ワイヤ２０ｄに当接させる（ステップＳ１１）。これにより、切断端面２０ａにおける金属ワイヤ２０ｄに対して貫通孔１３ａを確実に位置決めすることができる。また、ガイド突起１５ａに対する貫通孔１３ａの距離の調節は、ゴム栓１３の注ぎ口１２に対する回転位置を変更することにより行ってもよい。
【００４４】
次に、ゴム栓１３を切断端面２０ａに当接し（ステップＳ１２）、ガイド突起１５ａとゴム栓１３とをスライドさせながら、押出容器１１を握ることによりワイヤ防錆剤３０を貫通孔１３ａを介して押し出して、ワイヤ防錆剤３０を該切断端面２０ａにおける金属ワイヤ２０ｄに塗布して（ステップＳ１３）、本処理を終了する。
【００４５】
ガイド突起１５ａの基端部には、凹み１５ｃが形成されているので、ワイヤ防錆剤３０の塗布時にワイヤ防錆剤３０がガイド突起部１５ａを伝ってガラス表面２０ａに付着するのを防止できる。
【００４６】
図３の処理によれば、ガイド突起部１５ａをガラス表面２０ｅに設置し（ステップＳ１０）、ガラス表面２０ｅに当接させた状態で、押出容器１１を回して貫通孔１３ａを切断端面２０ａにおける金属ワイヤ２０ｄに当接させた後（ステップＳ１１）、ゴム栓１３を切断端面２０ａに押し当て（ステップＳ１２）、ガイド突起１５ａとゴム栓１３とをスライドさせながら、ワイヤ防錆剤３０を押し出すので（ステップＳ１３）、切断端面２０ａにおける金属ワイヤ２０ｄ周辺の隙間から網入りガラス２０の内部にワイヤ防錆剤３０を確実に侵入させることができる。
【００４７】
また、本実施の形態は、注ぎ口１２の形状はまっすぐであるが、屈曲したものであってもよい（図５）。これにより、角度をつけてワイヤ防錆剤３０を供給することができ、押出容器１１内のワイヤ防錆剤３０の量が少なくなったときも切断端面２０ａにおける金属ワイヤ２０ｄ周辺の隙間から網入りガラス２０の内部にワイヤ防錆剤３０を確実に侵入させることができる。
【００４８】
さらに、注ぎ口１２の形状は伸縮可能なものであってもよい。これにより、作業スペースを小さくすることができる。また、注ぎ口１２は比較的短い方が好ましい。これにより、ステップＳ１１で貫通孔１３ａを金属ワイヤ２０ｄに当接する際の調整を確実にできる結果、切断端面２０ａにおける金属ワイヤ周辺の隙間から網入りガラスの内部にワイヤ防錆剤３０を確実に侵入させることができる。
【００４９】
【発明の効果】
以上、詳細に説明したように、請求項１記載の網入りガラス用ワイヤ防錆剤塗布治具によれば、ワイヤ防錆剤を収容する容器に設けられた管状の注ぎ口と、この注ぎ口に固定され、網入りガラスの切断端面に当接する栓と、この注ぎ口に固定され網入りガラスのガラス表面に当接するガイドを備えるガイド部を備えるので、切断端面における金属ワイヤ周辺の隙間から網入りガラスの内部にワイヤ防錆剤を確実に侵入させることができ、ワイヤ表面の発錆を長期に亘り確実に防止することができ、また、ガラスを水平方向に設置したときに、鉛直方向上側のガラス表面にガイドを当接することで、液だれによりガイドを伝って鉛直方向下側のガラス表面にワイヤ防錆剤が付着することを防止できる。
【００５０】
請求項２記載の網入りガラス用ワイヤ防錆剤塗布治具によれば、ガイド部は、ガイド部が当接するガラス表面と栓が当接する切断端面とで構成されるエッジ周辺部分と接触しないための凹みが設けられているので、ガラスの切断端面に塗布されたワイヤ防錆剤がガイド部を伝ってガラス表面に付着することを防止できる。
【００５１】
請求項３記載の網入りガラス用ワイヤ防錆剤塗布治具によれば、栓は、長手中心軸からの偏心位置に単一の貫通孔を有する管状の弾性部材であって、前記注ぎ口に回転位置調節自在に固定されるので、注ぎ口に対する栓の回転位置を調節することができ、網入りガラスのワイヤの設計平面と貫通孔の位置を確実に合わせることができる。
【００５２】
請求項４記載の網入りガラス用ワイヤ防錆剤塗布治具によれば、ガイド部は、注ぎ口に回転位置調節自在に外嵌されるので、注ぎ口に対するガイド部の回転位置を調節することができ、網入りガラスのワイヤの設計平面と貫通孔の位置を確実に合わせることができる。
【００５３】
請求項５記載の網入りガラス用ワイヤ防錆剤塗布治具によれば、注ぎ口は屈曲しているので、角度をつけてワイヤ防錆剤を供給することができ、ワイヤ防錆剤の液量が少ない場合であっても切断端面における金属ワイヤ周辺の隙間から網入りガラスの内部にワイヤ防錆剤を確実に侵入させることができる。
【００５４】
請求項６記載の網入りガラス用ワイヤ防錆剤塗布治具によれば、注ぎ口は比較的短いので、位置調整を確実にできる結果、切断端面における金属ワイヤ周辺の隙間から網入りガラスの内部にワイヤ防錆剤を確実に侵入させることができる。
【００５５】
請求項７記載の網入りガラス用ワイヤ防錆剤塗布治具によれば、注ぎ口は伸縮するので、作業スペースを小さくすることができる。
【００５６】
請求項８記載の網入りガラス用ワイヤ防錆剤塗布治具によれば、注ぎ口の外形は、先端に向かってテーパ状に形成され、ガイド部の内形は、先端に向かってテーパ状に形成されるので、確実にガイド部を注ぎ口に装着することができる。
【００５７】
請求項９記載の網入りガラス用ワイヤ防錆剤塗布治具によれば、網入りガラス用ワイヤ防錆剤塗布治具は、注ぎ口と栓を内嵌して固定する管状のコネクタをさらに有するので、注ぎ口に対する栓の回転位置を確実に調節することができる。
【００５８】
請求項１０記載の網入りガラス用ワイヤ防錆剤塗布治具によれば、コネクタの内形は、注ぎ口に向かってテーパ状に形成されるので、確実にコネクタを注ぎ口に装着することができる。
【００５９】
請求項１１記載の網入りガラス用ワイヤ防錆剤塗布治具によれば、コネクタの内形は、栓に向かってテーパ状に形成されるので、確実に栓をコネクタに装着することができる。
【図面の簡単な説明】
【図１】本発明の実施の形態に係る網入りガラス用ワイヤ防錆剤塗布治具の部分断面図である。
【図２】網入りガラス２０の斜視図である。
【図３】図１の網入りガラス用ワイヤ防錆剤塗布治具１０により網入りガラス２０の切断端面２０ａにワイヤ防錆剤３０を塗布する様子を示す概略図である。
【図４】図１のワイヤ防錆冶具１０によって実行される編入りガラス２０の切断端面２０ａへのワイヤ防錆剤塗布処理のフローチャートである。
【図５】注ぎ口１２の変形例を示す図である。
【符号の説明】
１０  ワイヤ防錆剤塗布治具
１１  押出容器
１２  注ぎ口
１３  ゴム栓
１４  コネクタ
１５  ガイド部
２０  網入りガラス
３０  ワイヤ防錆剤
【図１】
2004305943.tif 000003
【図２】
2004305943.tif 000004
【図３】
2004305943.tif 000005
【図４】
2004305943.tif 000006
【図５】
2004305943.tif 000007